(57)【要約】【課題】複数の感光性平版印刷版処理装置へ処理液を容易に且つ確実に補充すること【解決手段】ポンプを備えた処理液補充装置によって処理液を感光性平版印刷版処理装置へ圧送する【選択図】図１
2005195642.tif 000002
【特許請求の範囲】
【請求項１】
複数の感光性平版印刷版処理装置用の処理液補充装置であって、
処理液を貯留する少なくとも１つの処理液供給タンクと、
前記処理液供給タンクと前記感光性平版印刷版処理装置とを連結する配管と、
前記配管を介して前記処理液供給タンク内の前記処理液を前記感光性平版印刷版処理装置へ圧送する圧送手段とを備えた処理液補充装置。
【請求項２】
前記処理液供給タンクへ前記処理液を供給する少なくとも１つの独立した処理液供給ドラムが収容されることを特徴とする、請求項１記載の処理液補充装置。
【請求項３】
前記感光性平版印刷版処理装置からの信号によって前記圧送手段が駆動制御されることを特徴とする、請求項１又は２記載の処理液補充装置。
【請求項４】
前記感光性平版印刷版処理装置が前記処理液を貯留する少なくとも１つの処理液補充タンクを備えることを特徴とする、請求項１乃至３のいずれかに記載の処理液補充装置。
【請求項５】
複数の感光性平版印刷版処理装置に、該感光性平版印刷版処理装置に配管を介して連結された処理液補充装置を用いて処理液を補充する方法であって、
前記処理液補充装置に備えられた圧送手段により、前記処理液補充装置から前記感光性平版印刷版処理装置へ前記処理液を圧送することを特徴とする処理液補充方法。
【発明の詳細な説明】
【技術分野】
【０００１】
本発明は感光性平版印刷版処理装置用の処理液補充装置に関し、特に、複数の感光性平版印刷版処理装置に現像液、ガム液等の処理液を補充する処理液補充装置に関する。
【背景技術】
【０００２】
一般に、感光性平版印刷版処理装置における感光性平版印刷版の現像・現像後処理等の各種処理にあたっては、当該処理に使用される現像液・ガム液等の処理液は、感光性平版印刷版の処理による劣化、経時的な疲労劣化等により劣化することが知られており、必要に応じて、感光性平版印刷版処理装置に当該処理液を適宜補充することが行われている。
【０００３】
しかし、処理液の劣化の進行速度は感光性平版印刷版処理装置によって異なるので、複数の感光性平版印刷版処理装置を同時に使用して大量の印刷を行う新聞印刷、商業印刷等の分野では、それぞれの感光性平版印刷版処理装置毎に異なる頻度で処理液を補充する作業が生じる。この補充作業はきわめて煩雑であるので、複数の感光性平版印刷版処理装置への処理液の補充作業を容易に実施することのできるシステムが求められている。
【０００４】
特開平４−１２７１６０号公報及び特開平７−２９５２３６号公報には、そのような複数の感光性平版印刷版処理装置を対象とした処理液補充装置が記載されており、当該処理液補充装置から配管を介して感光性平版印刷版処理装置へ各種の処理液を供給している。しかし、この処理液補充装置は、感光性平版印刷版処理装置に設置されたポンプを駆動することにより発生する負圧を利用して当該処理液補充装置内のタンクから処理液を吸引するものであるために、配管が長い場合には圧力損失のために処理液の供給不全をきたすことがある。特に、処理液補充装置と感光性平版印刷版処理装置との間の配管が何らかの物体上を横断する等の理由により上下方向に蛇行した状態となると、感光性平版印刷版処理装置からの負圧が処理液補充装置へ到達しない、或いは、処理液補充装置に到達する負圧の絶対値が極度に小さいものとなり、必要量の処理液を感光性平版印刷版処理装置に確実に供給することが困難となる。
【０００５】
更に、特開平４−１２７１６０号公報に記載の処理液補充装置では、処理液補充装置内のタンクに処理液を供給する際に、処理液が充填された容器を当該タンクの開口上に設置し、当該容器の一部をナイフで突き破る操作を要するので、処理液の供給毎に当該容器を使い捨てとせざるを得ず、環境面及び処理液供給コスト面での問題を有している。
【特許文献１】特開平４−１２７１６０号公報
【特許文献２】特開平７−２９５２３６号公報
【発明の開示】
【発明が解決しようとする課題】
【０００６】
本発明は上記の従来技術の現状に鑑みて為されたものであり、その目的とするところは、複数の感光性平版印刷版処理装置へ処理液を容易に且つ確実に補充可能であり、また、処理液供給作業時に廃棄物が生じない、感光性平版印刷版処理装置用の処理液補充装置を提供することである。
【課題を解決するための手段】
【０００７】
本発明の目的は、複数の感光性平版印刷版処理装置用の処理液補充装置であって、処理液を貯留する少なくとも１つの処理液供給タンクと、前記処理液供給タンクと前記感光性平版印刷版処理装置とを連結する配管と、前記配管を介して前記処理液供給タンク内の前記処理液を前記感光性平版印刷版処理装置へ圧送する圧送手段とを備えた処理液補充装置によって達成される。
【０００８】
本発明の処理液補充装置には、当該装置内の処理液供給タンクへ処理液を供給する少なくとも１つの独立した処理液供給ドラムが収容されることが好ましい。特に、処理液供給ドラムは開閉自在の開口部を備えることが好ましい。
【０００９】
そして、本発明の処理液補充装置による処理液の補充対象である感光性平版印刷版処理装置は、処理液を貯留する少なくとも１つの処理液補充タンクを備えることが好ましい。
【００１０】
更に、本発明の処理液補充装置の前記圧送手段は感光性平版印刷版処理装置からの信号によって駆動制御されることが好ましい。
【００１１】
また、本発明の他の態様は、複数の感光性平版印刷版処理装置に、該感光性平版印刷版処理装置に配管を介して連結された処理液補充装置を用いて処理液を補充する方法であって、前記処理液補充装置に備えられた圧送手段により、前記処理液補充装置から前記感光性平版印刷版処理装置へ前記処理液を圧送することを特徴とする処理液補充方法であり、当該方法によっても本発明の目的が達成される。
【発明の効果】
【００１２】
本発明の装置及び方法によれば、複数の感光性平版印刷版処理装置への処理液の補充を容易に行うことができる。そして、本発明の処理液補充装置は当該装置に設置された圧送手段によって処理液を感光性平版印刷版処理装置へ圧送するので、処理液補充装置と感光性平版印刷版処理装置とを連結する配管が長くても必要量の処理液を感光性平版印刷処理装置へ確実に補充することができる。
【００１３】
また、本発明の処理液補充装置の好ましい態様では、当該処理液補充装置に処理液を供給する処理液供給ドラムが処理液補充装置から独立しているので、供給作業終了時には処理液供給ドラムを処理液補充装置から取り出して処理液を再充填することにより処理液供給ドラムの再利用が可能となる。したがって、処理液供給作業時に廃棄物が生じることがない。
【００１４】
そして、本発明の処理液補充装置の圧送手段を処理液の補充対象である感光性平版印刷版処理装置からの信号によって駆動制御する場合には、複数の感光性平版印刷版処理装置の各装置毎に最適な処理液補充を実施することができる。
【００１５】
更に、圧送されてきた処理液を受け入れて貯留する処理液補充タンクを感光性平版印刷版処理装置が備える場合には、当該処理液補充タンクから適量の処理液を取り出して現像等の感光性平版印刷版の処理に使用することが可能となり、例えば、処理液としての現像液を感光性平版印刷版処理装置の現像槽に直接導入する場合に比べて処理液を無駄なく効率的に使用することができる。
【発明を実施するための最良の形態】
【００１６】
本発明において、処理液とは感光性平版印刷版の処理に用いられる任意の液体を意味しており、典型的には、感光性平版印刷版の現像液、ガム液であるが、「処理液」の範囲にはリンス液、水等も含まれる。なお、補充効率の面では処理液は原液であることが好ましいが、必要に応じて、例えば配管内での粘性抵抗が大きい場合等は希釈されてもよい。
【００１７】
ガム液は水系の不感脂化剤であり、現像直後の印刷版の表面全体にこれを塗布、乾燥して主に印刷版の非画線部（典型的にはアルミニウム基板表面）に被膜を形成するために使用される。これにより、印刷時に非画線部にインキが付着しにくくなり、インキによる汚れを防ぐことができる。また、印刷までの保存時に印刷版の表面を傷から保護する機能をも有する。ガム液としては、例えば、アラビアゴム、デキストリン、カルボキシメチルセルロースの如き水溶性天然高分子；ポリビニルアルコール、ポリビニルピロリドン、ポリアクリル酸の如き水溶性合成高分子、などの水溶液が使用される。また、必要に応じて、酸及び界面活性剤等が加えられる。
【００１８】
本発明の処理液補充装置に備えられる圧送手段は、圧力を付与して液体を輸送可能な手段であれば、その種類は特に制限されるものではないが、好適には、往復ポンプ、回転ポンプ、うず巻きポンプ、プロペラポンプ、ジェットポンプ等の各種ポンプが使用される。
【実施例】
【００１９】
以下、図１乃至８を用いて本発明の実施例について詳細に説明する。
【００２０】
図１は本発明の一例である処理液補充装置１の斜視図であり、図２（ａ）、（ｂ）、（ｃ）は、それぞれ、処理液補充装置１の上面図、正面図及び側面図である。
【００２１】
図１及び図２に示されるように、処理液補充装置１は、略直方体のケーシング２及びドア３ａ、３ｂを備えている。ケーシング２はトップカバー２ａ、サイドパネル２ｂ、底板２ｃから構成されており、脚部４ａ、４ｂ、４ｃ、４ｄにより任意の設置箇所に固定可能とされている。なお、サイドパネル２ｂには後述する現像液供給タンク及びガム液供給タンクの残量目視確認用の覗き窓２ｂ'が設けられている。
【００２２】
脚部４ａ、４ｂ、４ｃ、４ｄは長さ調節可能であり、各脚部の長さを適宜調節することにより、設置平面に対する処理液補充装置１の高さを調整可能とされている。なお、底板２ｃには脚部４ａ、４ｂ、４ｃ、４ｄ以外にケーシング２の移動用のキャスターを別途設けてもよい。
【００２３】
処理液補充装置１のドア３ａ、３ｂは蝶番により回動してケーシング２の前面を開閉可能である。ドア３としては図示されるようなタイプの他に、スライド式等の様々なタイプのドアを採用することができる。なお、任意のタイプのロック機構によりドア３ａ、３ｂを施錠可能とすることが好ましい。
【００２４】
図３は、ケーシング２のトップカバー２ａの前面に設けられた操作パネル５の拡大図である。図３に示されるように、操作パネル５には電源スイッチ５ａ等の各種のスイッチと共にパイロットランプ５ｂ等の各種の表示灯が集中して配設されており、各スイッチ及び各表示灯はトップカバー２ａ内の制御装置（電装部）と図示しない配線を介して接続されている。
【００２５】
図４は、ドア３ａ、３ｂを開放した処理液補充装置１を示す斜視図である。図４に示されるように、処理液補充装置１は、処理液を内蔵する処理液供給ドラムを収容する空間である収容部６をドア３ａ、３ｂ内に備えている。図４に示す例では、処理液供給ドラムとして、ガム液の原液を処理液補充装置１に供給するガム液供給ドラム７及び現像液の原液を処理液補充装置１に供給する現像液供給ドラム８の２つのドラムが処理液補充装置１内の収容部６に収容される。収容部６は、ガム液供給ドラム７を収容する第１収容部６ａ及び現像液供給ドラム８を収容する第２収容部６ｂから構成されている。図４の例では、第１収容部６ａ及び第２収容部６ｂは一体となって収容部６を構成しているが、これらは必要に応じて隔壁で区画されていてもよい。
【００２６】
ガム液供給ドラム７、現像液供給ドラム８としては、例えば、蓋で開閉可能な開口部７ａ、８ａを有する、市販のガム液原液ドラム、市販の現像液原液ドラムをそのまま使用することができる。本発明の処理液補充装置１では、処理液を取り出すためにガム液供給ドラム７、現像液供給ドラム８の一部を破壊することがないので、これらのドラム容器を再利用することが可能である。例えば、市販のガム液原液ドラム、市販の現像液原液ドラムをガム液供給ドラム７、現像液供給ドラム８としてそれぞれ使用する場合、ガム液原液ドラム、現像液原液ドラムが空となったときは、当該空ドラムをガム液供給業者又は現像液供給業者へ返却し、再充填されたものを、繰り返しガム液供給ドラム７、現像液供給ドラム８として使用することができる。
【００２７】
ガム液供給ドラム７、現像液供給ドラム８としては、任意の材質及び内容積のものを使用可能であるが、軽量化により搬送を容易とするためには、ガム液供給ドラム７、現像液供給ドラム８はプラスチック製であることが好ましい。なお、軽量化よりも耐久性等がより重視される場合は、ガム液供給ドラム７、現像液供給ドラム８の一方又は両方、或いは、その一部を金属製としてもよい。
【００２８】
図４に示す例では、ガム液供給ドラム７、現像液供給ドラム８は、それぞれ、台車９、１０に搭載された状態で収容部６に収容される。したがって、図４の処理液補充装置１では、台車９、１０の搭載面がケーシング２の底面を構成するように、ケーシング２の底板２ｃには切り欠き１１、１２が形成されている。そして、使用時には、ガム液供給ドラム７、現像液供給ドラム８を搭載した台車９、１０が切り欠き１１、１２にそれぞれ収容される。
【００２９】
このように、処理液補充装置１では、台車９、１０に搭載したままの状態でガム液供給ドラム７、現像液供給ドラム８を収容部６内に収容するので、処理液補充装置１への各ドラムの収容作業を容易に行うことができる。なお、台車９、１０の搭載面とケーシング２の底板２ｃとの相対位置の調整は脚部４ａ、４ｂ、４ｃ、４ｄの長さの調整により行うことができる。
【００３０】
なお、ガム液供給ドラム７、現像液供給ドラム８をそれぞれ搭載した台車９、１０を収容部６に収容後、台車９、１０と処理液補充装置１とを一体化するために、処理液補充装置１及び台車９、１０には、台車９、１０とケーシング２とを接合する任意の接合手段を設けることが好ましい。前記接合手段としては、例えば、各台車９、１０の先端に１以上のピンを設けると共に、切り欠き１１、１２の端部に１以上のピン受孔部を設け、切り欠き１１、１２内への台車９、１０の収容時に台車９、１０のピンを前記ピン受孔部に挿入して固定する態様が挙げられる。この場合、台車９、１０毎にピンのサイズを異なるものとし、また、前記ピン受孔のサイズをこれに合わせると、ガム液供給ドラム７を誤って第２受容部６ｂに収容し、或いは、現像液供給ドラム８を誤って第１受容部６ａに収容することを防止できるのでより好ましい。
【００３１】
また、ガム液供給ドラム７及び現像液供給ドラム８の収容部６への誤収容を防ぐためには、上記のピンを用いる態様の他に、例えば、台車９と第１受容部６ａとを同一色に塗装し、これとは異なる色で、台車１０と第２受容部６ｂとを同一色に塗装してもよい。また、各台車９、１０に搭載すべき液種を示したシールを添付することも可能である。
【００３２】
図５（ａ）、（ｂ）、（ｃ）はそれぞれ本発明の処理液補充装置１内の各部品配置を示す上面透視図、正面透視図及び側面透視図である。図５（ａ）、（ｂ）、（ｃ）に示されるように、収容部６内のガム液供給ドラム７及び現像液供給ドラム８には、それぞれ、吸引ポンプ１３ａ、１３ｂに連結された吸引管１４ａ、１４ｂの一端が挿入され、吸引管１４ａ、１４ｂの他端は処理液補充装置１内のガム液供給タンク１５、現像液供給タンク１６に挿入されている。吸引管１４ａ、１４ｂのガム液供給ドラム７及び現像液供給ドラム８への挿入作業は、ガム液供給ドラム７、現像液供給ドラム８を収容部６に収容する直前に各ドラムの開口部７ａ、８ａの蓋を外して行われる。なお、空気との接触による処理液の劣化を防ぐために、ガム液供給ドラム７、現像液供給ドラム８の開口部７ａ、８ａにおける吸引管１４ａ１４ｂとガム液供給ドラム７、現像液供給ドラム８との間の隙間は任意の手段によって閉塞されることが好ましい。例えば、このような閉塞状態は、中央に孔を有し、当該孔に吸引管１４ａ、１４ｂを差し込んだ状態の蓋（以下、「吸込みノズル」という）を用いて、吸引管１４ａ、１４ｂの一端をガム液供給ドラム７及び現像液供給ドラム８にそれぞれ挿入した上で、当該蓋によって開口部７ａ、８ａを閉めることによっても達成することができる。
【００３３】
ガム液供給ドラム７、現像液供給ドラム８内のガム液、現像液は、吸引ポンプ１３ａ、１３ｂにより、吸引管１４ａ、１４ｂを介して処理液補充装置１内のガム液供給タンク１５、現像液供給タンク１６にそれぞれ供給される。なお、吸引ポンプ１３ａ、１３ｂは図示を省略する配線により制御装置３３に接続されており、制御装置３３からの信号により駆動制御される。
【００３４】
なお、ガム供給ドラム７、現像液供給ドラム８からガム液供給タンク１５、現像液供給タンク１６へのガム液、現像液の流入時にガム液供給タンク１５、現像液供給タンク１６内のガム液、現像液の表面に泡が発生することを防止するために、吸引管１４ａ、１４ｂのガム液供給タンク１５、現像液供給タンク１６内に挿入される部分には該吸引管に沿って延びる１以上のスリットを形成することが好ましい。特に、吸引管１４ａ、１４ｂのガム液供給タンク１５、現像液供給タンク１６内に挿入される部分の先端から該吸引管に沿ってスリットが形成されると消泡効果が高いので好ましい。スリットの幅は１から５ｍｍ程度が適当である。
【００３５】
また、空気との接触による処理液の劣化をできるだけ回避するために、ガム液供給タンク１５、現像液供給タンク１６は各タンク内のガム液、現像液と空気との接触を可能な限り阻害するための任意の手段を備えることが好ましい。そのような手段としては、例えば、ガム液供給タンク１５、現像液供給タンク１６内のガム液、現像液の液面上に、上下方向に移動自在の浮き蓋を配置すること等が挙げられる。
【００３６】
図５に示す例では、ガム液供給タンク１５、現像液供給タンク１６の底部にはそれぞれ排出管３４ａ、３４ｂと接続されたドレイン口３６ａ、３６ｂが形成されている。したがって、点検・洗浄等の作業時には、ドレイン口３６ａ、３６ｂから排出管３４ａ、３４ｂを介して、ガム液供給タンク１５、現像液供給タンク１６内のガム液及び現像液を各タンクから外部へ排出することが可能である。また、ガム液供給タンク１５、現像液供給タンク１６の上端部にも排出管３４ａ、３４ｂと接続されたオーバーフロー口３５ａ、３５ｂが形成されており、ガム液供給タンク１５、現像液供給タンク１６からそれぞれガム液、現像液が溢れることがないように、過剰のガム液、現像液を排出可能とされている。なお、オーバーフロー口３５ａ、３５ｂ及び／又はドレイン口３６ａ、３６ｂは栓体等で開閉自在とされてもよく、また、必要に応じて、排出管３４ａ、３４ｂには１以上のバルブを適宜設けてもよい。
【００３７】
ガム液供給タンク１５、現像液供給タンク１６は処理液補充装置１のケーシング２と一体に固定されてもよいが、点検・洗浄等の作業性の点では、これらはケーシング２から脱着可能に固定されていることが好ましい。
【００３８】
図５に示されるように、処理液補充装置１では、収容部６とガム液供給タンク１５、現像液供給タンク１６との間に隔壁部１７が設けられており、隔壁部１７内にはガム供給ドラム７、現像液供給ドラム８内の現像液、ガム液のレベルをそれぞれ検出するための非接触型センサ１８ａ、１８ｂ、１８ｃ、１９ａ、１９ｂ、１９ｃが上下方向に離隔して複数個設置されている。非接触型センサ１８ａ、１８ｂ、１８ｃ、１９ａ、１９ｂ、１９ｃは図示しない配線により制御装置３３及び操作パネル５と接続されており、非接触型センサ１８ａ、１８ｂ、１８ｃ、１９ａ、１９ｂ、１９ｃの検出信号に応じて、操作パネル５上のレベル表示器５ｃ、５ｄがガム液供給ドラム７内、現像液供給ドラム８内の液量をそれぞれ表示する。したがって、ドア３ａ、３ｂを閉止した状態でガム液供給ドラム７、現像液供給ドラム８からガム液供給タンク１５、現像液供給タンク１６へガム液、現像液を送出しても操作パネル５上でガム液供給ドラム７、現像液供給ドラム８内の液量を容易に把握することができる。
【００３９】
一方、ガム液供給タンク１５、現像液供給タンク１６には、各タンク内の液量レベルを検出するための、複数の電極からなる液面レベルセンサ２０、２１がそれぞれ設置されており、液面レベルセンサ２０、２１は図示しない配線により制御装置３３及び操作パネル５と接続されている。なお、ガム液供給タンク１５、現像液供給タンク１６の内部の液面レベルはケーシング２のサイドパネル２ｂに設けられた覗き窓２ｂ'によって視覚的に確認することもできる。
【００４０】
図６は液面レベルセンサ２０を設けたガム液供給タンク１５の拡大縦断面図である。図示されるように、液面レベルセンサ２０は、共通電極２０ａ、下限レベル検出電極２０ｂ、吸液開始レベル検出電極２０ｃ、吸液停止レベル検出電極２０ｄ、及び、上限レベル検出電極２０ｅを備えており、各レベルを検出可能とされている。なお、ここでの、下限レベル、吸液開始レベル、吸液停止レベル、上限レベルは、それぞれ、ガム液供給タンク１５内の液量がほぼ空である異常下限レベル、吸引ポンプ１３ａを駆動してガム液供給ドラム７からガム液供給タンク１５へのガム液の吸引・供給を開始すべきレベル、ガム液供給ドラム７からガム液供給タンク１５へのガム液の吸引・供給を停止すべきレベル、ガム液供給タンク１５からガム液が溢れる危険性のある異常上限レベルを意味する。なお、現像液供給タンク１６にも同様の電極構成を備えた液面レベルセンサ２１が設けられている。
【００４１】
なお、液面レベルセンサ２０、２１と同一のタイプのセンサを用いてガム液供給ドラム７、現像液供給ドラム８内のガム、現像液のレベルを検出してもよい。例えば、前記吸込みノズルの周辺部に異なる長さの電極を複数本取り付けた上で、吸引管１４ａ、１４ｂ及び前記電極がガム液供給ドラム７、現像液供給ドラム８の内部に向けて延びるように、吸込みノズルをガム液供給ドラム７、現像液供給ドラム８の開口部７ａ、７ｂに取り付ける構成を採用することができる。
【００４２】
図５に示されるように、処理液補充装置１では、ガム液供給タンク１５、現像液供給タンク１６の各底面に５つの排出口１５ａ、１５ｂ、１５ｃ、１５ｄ、１５ｅ、及び、排出口１６ａ、１６ｂ、１６ｃ、１６ｄ、１６ｅが設けられており、それぞれ、図７の配管２２ａ、２２ｂ、２２ｃ、２２ｄ、２２ｅ、及び、配管２３ａ、２３ｂ、２３ｃ、２３ｄ、２３ｅと接続されている。
【００４３】
また、配管２２ａ、２２ｂ、２２ｃ、２２ｄ、２２ｅ及び配管２３ａ、２３ｂ、２３ｃ、２３ｄ、２３ｅの途中には、それぞれ、図示しない配線により制御装置３３と接続された圧送ポンプ２４ａ、２４ｂ、２４ｃ、２４ｄ、２４ｅ及び圧送ポンプ２５ａ、２５ｂ、２５ｃ、２５ｄ、２５ｅ並びに電磁弁２６ａ、２６ｂ、２６ｃ、２６ｄ、２６ｅ及び電磁弁２７ａ、２７ｂ、２７ｃ、２７ｄ、２７ｅが配設されており、排出口１５ａ、１５ｂ、１５ｃ、１５ｄ、１５ｅ及び排出口１６ａ、１６ｂ、１６ｃ、１６ｄ、１６ｅからガム液及び現像液をそれぞれ配管２２ａ、２２ｂ、２２ｃ、２２ｄ、２２ｅ及び配管２３ａ、２３ｂ、２３ｃ、２３ｄ、２３ｅを介して、処理液補充装置１の外部へ送出可能とされている。
【００４４】
したがって、図示される処理液補充装置１は、５台までの感光性平版印刷版処理装置にガム液及び現像液を補充することが可能である。また、処理液補充装置１は各配管毎に圧送ポンプ及び電磁弁を備えているので、各配管毎に処理液の送出パターンを変更することができる。したがって、処理液補充装置１は処理液の疲労状況に応じて各感光性平版印刷版処理装置毎に最適な処理液補給を行うことが可能である。
【００４５】
そして、処理液補充装置１は、内蔵する圧送ポンプ２４ａ、２４ｂ、２４ｃ、２４ｄ、２４ｅ及び圧送ポンプ２５ａ、２５ｂ、２５ｃ、２５ｄ、２５ｅによって高い圧力を付与してガム液及び現像液を外部へ送出するので、配管２２ａ、２２ｂ、２２ｃ、２２ｄ、２２ｅ及び配管２３ａ、２３ｂ、２３ｃ、２３ｄ、２３ｅを介して遠方から吸引する場合に比べて、ガム液及び現像液を確実に処理液補充装置１から送出することができる。したがって、本発明の処理液補充装置１は供給対象が遠方であっても、ガム液及び現像液を確実に供給することができる。
【００４６】
図７は、本発明の処理液補充装置１を使用して独立した５台の感光性平版印刷版処理装置２８、２９、３０、３１、３２にガム液及び現像液を補充する場合の補充系統を示す図である。図示されるように、本発明の処理液補充装置１の配管２２ａ、２２ｂ、２２ｃ、２２ｄ、２２ｅ及び配管２３ａ、２３ｂ、２３ｃ、２３ｄ、２３ｅは、それぞれ、感光性平版印刷版処理装置２８、２９、３０、３１、３２のガム液補充タンク２８ａ、２９ａ、３０ａ、３１ａ、３２ａ及び現像液補充タンク２８ｂ、２９ｂ、３０ｂ、３１ｂ、３２ｂと接続されており、本発明の処理液補充装置１のガム液供給タンク１５及び現像液供給タンク１６内のガム液及び現像液はそれぞれ感光性平版印刷版処理装置のガム液補充タンク２８ａ、２９ａ、３０ａ、３１ａ、３２ａ及び現像液補充タンク２８ｂ、２９ｂ、３０ｂ、３１ｂ、３２ｂに補充可能である。
【００４７】
図７の例では、感光性平版印刷版処理装置２８、２９、３０、３１、３２のガム液補充タンク２８ａ、２９ａ、３０ａ、３１ａ、３２ａ及び現像液補充タンク２８ｂ、２９ｂ、３０ｂ、３１ｂ、３２ｂは、感光性平版印刷版処理装置２８、２９、３０、３１、３２の図示しない現像後処理槽及び現像槽と配管を介してそれぞれ連結されている。したがって、各感光性平版印刷版処理装置２８、２９、３０、３１、３２では、図示しない現像後処理槽又は現像槽内のガム液又は現像液の消費乃至劣化度に応じてガム液補充タンク２８ａ、２９ａ、３０ａ、３１ａ、３２ａ又は現像液補充タンク２８ｂ、２９ｂ、３０ｂ、３１ｂ、３２ｂから新しいガム液又は新しい現像液が前記現像後処理槽又は現像槽へそれぞれ補給される。なお、現像液の劣化度は、例えば、当該液の電導度又はインピーダンス値を測定することにより容易に把握することができる。
【００４８】
また、図７の感光性平版印刷版処理装置２８、２９、３０、３１、３２のガム液補充タンク２８ａ、２９ａ、３０ａ、３１ａ、３２ａ及び現像液補充タンク２８ｂ、２９ｂ、３０ｂ、３１ｂ、３２ｂには、それぞれ、複数の電極からなる液面レベルセンサ２８ｃ、２９ｃ、３０ｃ、３１ｃ、３２ｃ及び液面レベルセンサ２８ｄ、２９ｄ、３０ｄ、３１ｄ、３２ｄが取り付けられており、ガム液補充タンク２８ａ、２９ａ、３０ａ、３１ａ、３２ａ及び現像液補充タンク２８ｂ、２９ｂ、３０ｂ、３１ｂ、３２ｂの内部液面レベルを検出可能とされている。
【００４９】
例えば、液面レベルセンサ２８ｃを例に挙げて説明すると、液面レベルセンサ２８ｃは、補充開始レベル検出電極Ａ、補充停止レベル検出電極Ｂ、及び、上限レベル検出電極Ｃを備えており、各レベルを検出可能とされている。なお、ここでの、補充開始レベル、補充停止レベル、上限レベルは、それぞれ、処理液補充装置１からガム液補充タンク２８ａへのガム液の補充を開始すべきレベル、処理液補充装置１からガム液補充タンク２８ａへのガム液の補充を停止すべきレベル、ガム液補充タンク２８ａからガム液が溢れる危険性のある異常上限レベルを意味する。図７に示す例では液面レベルセンサ２９ｃ、３０ｃ、３１ｃ、３２ｃ及び液面レベルセンサ２８ｄ、２９ｄ、３０ｄ、３１ｄ、３２ｄも液面レベルセンサ２８ｃと同一の電極構成を採用しているが、感光性平版印刷版処理装置２８、２９、３０、３１、３２の種類等に応じて、これらの液面レベルセンサの電極構成は相互に異なるものであってもよい。
【００５０】
これらの液面レベルセンサの信号は図示しない有線又は無線或いはその他の手段によって処理液補充装置１の制御装置３３及び操作パネル５に伝達される。したがって、処理液補充装置１の使用者は感光性平版印刷版処理装置２８、２９、３０、３１、３２のガム液補充タンク２８ａ、２９ａ、３０ａ、３１ａ、３２ａ及び現像液補充タンク２８ｂ、２９ｂ、３０ｂ、３１ｂ、３２ｂ内の液量を遠隔的に把握することができる。これにより、複数の感光性平版印刷版処理装置２８、２９、３０、３１、３２においてガム液補充タンク２８ａ、２９ａ、３０ａ、３１ａ、３２ａ及び現像液補充タンク２８ｂ、２９ｂ、３０ｂ、３１ｂ、３２ｂの液量を実際に確認しなくても、処理液補充装置１においてこれらのタンク内の液量を把握・管理することができる。
【００５１】
なお、本発明の処理液補充装置１は必ずしも図７のように５台の感光性平版印刷版処理装置２８、２９、３０、３１、３２と接続する必要はなく、例えば、２台又は３台の感光性平版印刷版処理装置のために使用されてもよい。しかし、大量に平版印刷版を使用する新聞印刷等の分野においてはできるだけ多くの感光性平版印刷版処理装置を集中管理することが好ましく、この場合に、本発明の処理液補充装置１によれば複数の感光性平版印刷版処理装置への処理液の補充を特に容易且つ確実に行うことができる。
【００５２】
また、図示される処理液補充装置１では、収容部６はガム液供給ドラム７、現像液供給ドラム８の２つの処理液供給ドラムを収容するが、本発明の処理液補充装置においては当該装置内に収容する処理液供給ドラムの数は２つに限られるもではなく、必要に応じて合計で３つ以上のタンクを収容するものであってもよい。
【００５３】
更に、本発明の処理液補充装置を用いて現像液及びガム液以外の処理液（例えば水）を複数の感光性平版印刷版処理装置に供給してもよい。また、単一種類の処理液のみを複数の感光性平版印刷版処理装置に供給することで足りる場合は、本発明の処理液補充装置は一つの処理液供給ドラムのみを収容する構成としてもよい。
【００５４】
次に、処理液補充装置１の動作・使用態様の一例を説明する。
【００５５】
処理液補充装置１の使用時には、まず電源スイッチ５ａをＯＮにする（ステップＳ１）。これにより制御装置３３が機能を開始し、また、パイロットランプ５ｂが点灯（ステップＳ２）して処理液補充装置１が使用可能な状態であることが示される。
【００５６】
電源スイッチＯＮと同時に、処理液補充装置１のガム液供給タンク１５及び現像液供給タンク１６、並びに、感光性平版印刷版処理装置２８、２９、３０、３１、３２のガム液補充タンク２８ａ、２９ａ、３０ａ、３１ａ、３２ａ及び現像液補充タンク２８ｂ、２９ｂ、３０ｂ、３１ｂ、３２ｂ内の液面レベルが液面レベルセンサ２０、２１、並びに、液面レベルセンサ２８ｃ、２９ｃ、３０ｃ、３１ｃ、３２ｃ及び液面レベルセンサ２８ｄ、２９ｄ、３０ｄ、３１ｄ、３２ｄによってそれぞれ検出される。各タンク内の液面が上限レベル以上のときは、制御装置３３は異常ランプ５ｆ、５ｇをそれぞれ点滅させる。異常ランプ５ｆ、５ｇ点滅時には、例えば、ガム液供給タンク１５、現像液供給タンク１６を点検し、ドレイン口３６ａ、３６ｂを開放する等してタンク内の液面レベルを上限レベル未満とする必要がある。
【００５７】
異常ランプ５ｆ、５ｇの点滅がない場合、或いは、ガム液供給タンク１５、現像液供給タンク１６、ガム液補充タンク２８ａ、２９ａ、３０ａ、３１ａ、３２ａ及び現像液補充タンク２８ｂ、２９ｂ、３０ｂ、３１ｂ、３２ｂの液面レベルの調整により異常ランプ５ｆ、５ｇが消灯したことを確認した場合は、処理液補充装置１のドア３ａ、３ｂを開け、その一方で、ガム液供給ドラム７、現像液供給ドラム８を台車９、１０上にそれぞれセットする。
【００５８】
次に、蓋を外す等してガム液供給ドラム７、現像液供給ドラム８の開口部７ａ、８ａを開放し、開口部７ａ、８ａから吸引管１４ａ、１４ｂを挿入する。更に、台車９、１０を切り欠き１１、１２にそれぞれ導入することにより、ガム液供給ドラム７、現像液供給ドラム８を処理液補充装置１の収容部６に収容する。ガム液供給ドラム７、現像液供給ドラム８内のおおまかな液量はレベル表示器５ｃ、５ｄによってそれぞれ把握することができる。
【００５９】
収容部６へのガム液供給ドラム７、現像液供給ドラム８の収容後、セット完了ボタン５ｈ、５ｉをそれぞれＯＮにし（ステップＳ３）、ドア３ａ、３ｂを閉め必要に応じてロックする。セット完了ボタン５ｈ、５ｉのＯＮによって、複数の感光性平版印刷版処理装置へのガム液、現像液のそれぞれの自動補充モードがそれぞれ独立して開始される。ガム液、現像液の自動補充モード中は、ガム運転灯５ｊ、現像運転灯５ｋが点灯する。
【００６０】
自動補充モードでは、ガム液補給タンク１５、現像液供給タンク１６内の液面レベルが液面レベルセンサ２０、２１により常に検知され、制御装置３３は、当該液面レベルと吸液停止レベルとを常に比較する（ステップＳ４）。
【００６１】
ガム液供給タンク１５又は現像液供給タンク１６内の液面レベルが吸液停止レベル以下の場合、制御装置３３は、吸引ポンプ１３ａ又は１３ｂの駆動を開始し（ステップＳ４→ステップＳ５）、電磁弁２６ａ、２６ｂ、２６ｃ、２６ｄ、２６ｅ又は電磁弁２７ａ、２７ｂ、２７ｃ、２７ｄ、２７ｅの閉鎖、並びに、圧送ポンプ２４ａ、２４ｂ、２４ｃ、２４ｄ、２４ｅ又は圧送ポンプ２５ａ、２５ｂ、２５ｃ、２５ｄ、２５ｅの停止を維持する（ステップＳ６）。これにより、ガム液供給ドラム７又は現像液供給ドラム８からガム液供給タンク１５又は現像液供給タンク１６へガム液又は現像液が吸引・供給される。
【００６２】
前記吸引・供給中、制御装置３３は、吸引ポンプ１３ａ又は１３ｂの駆動時間を記録し、当該駆動時間と予め入力された所定の警報設定時間とを比較する（ステップＳ７）。警報設定時間は任意であるが、図８に示す例では、この場合の警報設定時間は比較的長い（例えば１５分程度）。
【００６３】
前記警報設定時間に達するまでの間にガム液供給タンク１５又は現像液供給タンク１６内の液面レベルが吸液停止レベルに達すると、制御装置３３は吸引ポンプ１３ａ又は１３ｂの駆動を停止する（ステップＳ７→ステップＳ４→ステップＳ８）。これにより、ガム液供給タンク１５又は現像液供給タンク１６からガム液又は現像液がオーバーフローすることが防止される。
【００６４】
一方、前記警報設定時間に達するまでの間にガム液供給タンク１５又は現像液供給タンク１６内の液面レベルが吸液停止レベルに達しない場合（ステップＳ７→ステップＳ４→ステップＳ５→ステップＳ６→ステップＳ７）は、制御装置３３は、ガム液供給ドラム７又は現像液供給ドラム８が空であると判定し、ガム液供給空灯５ｌ又は現像液供給空灯５ｍを点灯し（ステップＳ１０）、警報ブザーを断続的に作動させる（ステップＳ１１）。更に、制御装置３３は、吸引管１４ａ、１４ｂへの空気の流入を回避するために吸引ポンプ１３ａ、１３ｂを停止させる（ステップＳ１２）。
【００６５】
処理液補充装置１の使用者は、断続的に作動する警報ブザーによってガム液供給ドラム７又は現像液供給ドラム８が空であることを認知し、ドア３ａ、３ｂを開けて収容部６から空のガム液供給ドラム７又は現像液供給ドラム８を取出し、新しいドラムと交換することができる。なお、警報ブザーは操作パネル５のブザーカットスイッチ５ｅによりガム液供給ドラム７又は現像液供給ドラム８の交換後に停止させることができる。
【００６６】
なお、この交換作業中であっても、ガム液供給タンク１５、現像液供給タンク１６内にはそれぞれ相当量のガム液及び現像液が残存しているので、ガム液供給タンク１５又は現像液供給タンク１６から各感光性平版印刷版処理装置２８、２９、３０、３１、３２へのガム液又は現像液の補充を停止する必要はない。したがって、制御装置３３は圧送ポンプ２４ａ、２４ｂ、２４ｃ、２４ｄ、２４ｅ及び圧送ポンプ２５ａ、２５ｂ、２５ｃ、２５ｄ、２５ｅを駆動する（ステップＳ１３）。
【００６７】
このように、処理液補充装置１では、たとえガム液供給ドラム７、現像液供給ドラム８が空になっても感光性平版印刷版処理装置２８、２９、３０、３１、３２へのガム液又は現像液の補充を継続することができるので、複数の感光性平版印刷版処理装置を長時間連続して運転させることができる。
【００６８】
しかし、警報ブザーの断続作動開始後もガム液供給ドラム７又は現像液供給ドラム８の交換が長時間行われないと、ガム液供給タンク１５又は現像液供給タンク１６内の液量レベルは更に低下し、ついには、下限レベルに到達する（ステップＳ１４）。この場合、制御装置３３は所定時間（例えば３秒）後に異常ランプ５ｆ又は５ｇを点滅させ（ステップＳ１５→ステップＳ１６）、更に、警報ブザーを連続的に作動させる（ステップＳ１７）。そして、制御装置３３は圧送ポンプ２４ａ、２４ｂ、２４ｃ、２４ｄ、２４ｅ又は圧送ポンプ２５ａ、２５ｂ、２５ｃ、２５ｄ、２５ｅの駆動を停止させる（ステップＳ１８）。これにより、処理液補充装置１は活動を停止し、配管２２ａ、２２ｂ、２２ｃ、２２ｄ、２２ｅ又は配管２３ａ、２３ｂ、２３ｃ、２３ｄ、２３ｅ内への空気の混入を回避することができる。
【００６９】
さて、制御装置３３は感光性平版印刷版処理装置２８、２９、３０、３１、３２のガム液補充タンク２８ａ、２９ａ、３０ａ、３１ａ、３２ａ及び現像液補充タンク２８ｂ、２９ｂ、３０ｂ、３１ｂ、３２ｂ内の液面レベルも常に監視している。そして、ステップＳ８の後に、各補充タンク内の液面レベルが補充停止レベルに達していない場合には、制御装置３３は圧送ポンプ２４ａ、２４ｂ、２４ｃ、２４ｄ、２４ｅ又は圧送ポンプ２５ａ、２５ｂ、２５ｃ、２５ｄ、２５ｅを駆動してガム液供給タンク１５又は現像液供給タンク１６から各感光性平版印刷版処理装置２８、２９、３０、３１、３２へガム液又は現像液を送出する（ステップＳ８→ステップＳ２１→ステップＳ９）。これによりガム液供給タンク１５又は現像液供給タンク１６内の液面レベルは徐々に低下する。
【００７０】
そして、ガム液供給タンク１５又は現像液供給タンク１６内の液面レベルが吸液開始レベルに達すると、制御装置３３は、吸引ポンプ１３ａ又は１３ｂを駆動させ、ガム液供給ドラム７又は現像液供給ドラム８からガム液又は現像液をガム液供給タンク１５又は現像液供給タンク１６にそれぞれ供給する（ステップＳ９→ステップＳ１９→ステップＳ５）。この際、制御装置３３からの指令により、電磁弁２６ａ、２６ｂ、２６ｃ、２６ｄ、２６ｅ又は電磁弁２７ａ、２７ｂ、２７ｃ、２７ｄ、２７ｅは閉鎖され、且つ、圧送ポンプ２４ａ、２４ｂ、２４ｃ、２４ｄ、２４ｅ又は圧送ポンプ２５ａ、２５ｂ、２５ｃ、２５ｄ、２５ｅの駆動は停止される（ステップＳ６）。この後、ステップＳ７からステップＳ１０〜１８又はステップＳ７からステップＳ４→ステップＳ８→ステップＳ２１→ステップＳ９→ステップＳ１９が繰り返される。このときのステップＳ７における警報設定時間は比較的短くてよく、図８の例では、例えば約１分３０秒に設定することができる。
【００７１】
一方、ガム液供給タンク１５又は現像液供給タンク１６内の液面レベルが吸液開始レベルに達するまでは、感光性平版印刷版処理装置２８、２９、３０、３１、３２のガム液補充タンク２８ａ、２９ａ、３０ａ、３１ａ、３２ａ及び現像液補充タンク２８ｂ、２９ｂ、３０ｂ、３１ｂ、３２ｂ内の液面レベルが補充停止レベルに達していないことを確認しつつ、制御装置３３は電磁弁２６ａ、２６ｂ、２６ｃ、２６ｄ、２６ｅ又は電磁弁２７ａ、２７ｂ、２７ｃ、２７ｄ、２７ｅを開放し、且つ、圧送ポンプ２４ａ、２４ｂ、２４ｃ、２４ｄ、２４ｅ又は圧送ポンプ２５ａ、２５ｂ、２５ｃ、２５ｄ、２５ｅの駆動を維持する（ステップＳ９→ステップＳ１９→ステップＳ２０→ステップＳ２１→ステップ９）。
【００７２】
しかし、圧送ポンプ２４ａ、２４ｂ、２４ｃ、２４ｄ、２４ｅ又は圧送ポンプ２５ａ、２５ｂ、２５ｃ、２５ｄ、２５ｅの駆動時間が警報設定時間（例えば２０分間）に達すると、圧送ポンプの長時間駆動による予期しない不都合を回避すべく、制御装置３３は、圧送ポンプ２４ａ、２４ｂ、２４ｃ、２４ｄ、２４ｅ又は圧送ポンプ２５ａ、２５ｂ、２５ｃ、２５ｄ、２５ｅの駆動を停止し（ステップＳ２０→ステップＳ２２）、吸引ポンプ１３ａ、１３ｂを停止を維持して（ステップＳ２３）、異常ランプ５ｆ又は５ｇを点滅させ（ステップＳ２４）、警報ブザーを連続作動させる（ステップＳ２５）。
【００７３】
また、ステップＳ２１において感光性平版印刷版処理装置２８、２９、３０、３１、３２のガム液補充タンク２８ａ、２９ａ、３０ａ、３１ａ、３２ａ及び現像液補充タンク２８ｂ、２９ｂ、３０ｂ、３１ｂ、３２ｂ内の液面レベルが補充停止レベルに達することによっても、制御装置３３は圧送ポンプ２４ａ、２４ｂ、２４ｃ、２４ｄ、２４ｅ又は圧送ポンプ２５ａ、２５ｂ、２５ｃ、２５ｄ、２５ｅの駆動を停止し（ステップＳ２１→ステップＳ２２）、処理液補充装置１の作動を停止させる。
【００７４】
自動補充モードでは、このようにして処理液補充装置１からガム液又は現像液が複数の感光性平版印刷版処理装置２８、２９、３０、３１、３２へ補充される。自動モードを終了させる場合には、操作パネル５上の停止スイッチ５ｎ、５ｏを押すことにより、それぞれ、ガム液の自動補充モード、現像液の自動補充モードを任意のタイミングで個別に終了することができる。
【００７５】
このように、処理液補充装置１では、操作パネル５上の操作のみによって複数の感光性平版印刷版処理装置へのガム液及び／又は現像液の補給を自動的に行うことができるので、大量の印刷を行う新聞印刷等の用途において多数の感光性平版印刷版処理装置を使用する場合であってもガム液及び／又は現像液の補給を少人数で容易に実施することができる。
【００７６】
なお、自動補充モードでは、ガム液補充タンク２８ａ、２９ａ、３０ａ、３１ａ、３２ａ又は現像液補充タンク２８ｂ、２９ｂ、３０ｂ、３１ｂ、３２ｂ内の液面レベルが補充開始レベルに到達した場合に、制御装置３３が圧送ポンプ２４ａ、２４ｂ、２４ｃ、２４ｄ、２４ｅ又は圧送ポンプ２５ａ、２５ｂ、２５ｃ、２５ｄ、２５ｅを駆動させるようにしてもよい。なお、これらの圧送ポンプの駆動を所定時間継続した後であってもガム液補充タンク２８ａ、２９ａ、３０ａ、３１ａ、３２ａ又は現像液補充タンク２８ｂ、２９ｂ、３０ｂ、３１ｂ、３２ｂ内の液面レベルが未だ下限レベルより高い状態に回復しない場合は、制御装置３３は、ガム液供給タンク１５、現像液供給タンク１６が空であると判定して、警報ブザーを作動させることが好ましい。
【図面の簡単な説明】
【００７７】
【図１】本発明の一例である処理液補充装置の斜視図
【図２】処理液補充装置の上面図、正面図及び側面図
【図３】操作パネルの拡大図
【図４】ドアを開放した処理液補充装置を示す斜視図
【図５】処理液補充装置の上面透視図、正面透視図及び側面透視図
【図６】ガム液供給タンクの拡大縦断面図
【図７】本発明の処理液補充装置を使用した補給系統の一例を示す概念図
【図８】本発明の処理液補充装置を使用した処理液補給例を示すフローチャート
【符号の説明】
【００７８】
１  処理液補充装置；２  ケーシング；３  ドア；４  脚部；５  操作パネル；６  収容部；７  ガム液供給ドラム；８  現像液供給ドラム；９、１０  台車；１１、１２  切り欠き；１３  吸引ポンプ；１４  吸引管；１５  ガム液供給タンク；１６  現像液供給タンク；１７  隔壁部；１８、１９  非接触型センサ；２０、２１  液面レベルセンサ；２２、２３  配管；２４、２５  圧送ポンプ；２６、２７  電磁弁；２８、２９、３０、３１、３２  感光性平版印刷版処理装置；３３  制御装置；３４  排出管；３５  オーバーフロー口；３６  ドレイン口
【図１】
2005195642.tif 000003
【図２】
2005195642.tif 000004
【図３】
2005195642.tif 000005
【図４】
2005195642.tif 000006
【図５】
2005195642.tif 000007
【図６】
2005195642.tif 000008
【図７】
2005195642.tif 000009
【図８】
2005195642.tif 000010